(57)【要約】【課題】  おくるみにおいて、乳幼児に窮屈感を与えることがなく、また種々の形状、サイズのベビーカーに容易に装着することができるようにする。【解決手段】  略方形の前側半部２と後側半部３とを備え、前側半部２と後側半部３の下縁部４同士が縫着され、前側半部２と後側半部３の両側縁部６同士がファスナー７等の係止手段によって係脱自在となされ、後側半部３の下部にはベビーカーの腰ベルト１５および股ベルト１６を通す下部通し孔１２が形成され、後側半部３の上部にはベビーカーの肩ベルト１７を通す上部通し孔１０が形成され、後側半部３の両側縁部における上部には取付紐１４を通すための複数の透孔１３が所定間隔をあけて形成されている。【選択図】  図５
0003140425.tif 000002
【実用新案登録請求の範囲】
【請求項１】
略方形の前側半部と後側半部とを備え、前側半部と後側半部の下縁部同士が縫着され、前側半部と後側半部の両側縁部同士が係止手段によって係脱自在となされ、後側半部の下部にはベビーカーの腰ベルトおよび股ベルトを通す下部通し孔が形成され、後側半部の上部にはベビーカーの肩ベルトを通す上部通し孔が形成され、後側半部の両側縁部における上部には取付紐を通すための複数の透孔が所定間隔をあけて形成されている、おくるみ。
【請求項２】
上部通し孔が横長状であり、下部通し孔が台形状であることを特徴とする、請求項１記載のおくるみ。
【請求項３】
前側半部の上縁中央部には、乳幼児の顔出し用凹形部が形成されている、請求項１または請求項２記載のおくるみ。
【請求項４】
前側半部の前面にポケットが設けられた、請求項１〜請求項３のうちのいずれか一項記載のおくるみ。
【考案の詳細な説明】
【技術分野】
【０００１】
本考案は、主として、乳幼児をベビーカーに乗せる場合に該乳幼児をくるむためのおくるみに関する。
【背景技術】
【０００２】
従来、冬の寒い時期に、乳幼児をベビーカーに乗せる場合、通常、膝掛けや毛布等を乳幼児の身体にかけて防寒を行っていた。しかしながら、ベビーカーの移動に伴う振動や乳幼児自身が動くことによって、前記膝掛けや毛布が所望の位置からずれ落ちる場合が多かった。このような問題に対処するために、略方形の被覆地の左右縁にファスナーを縫着して左右縁同士を係合させることによって全体を筒状とし、その下縁をパイプ状に縫製して中に紐を通すことで下縁を絞り込むようにし、また上部の左右縁にはベビーカーの左右のフレームに結びつけるための紐を取付け、更に被覆地の背面部にはベビーカーの腰ベルトや股ベルトを通すための透孔を備えたおくるみが開発されている。
【特許文献１】特開平９−２２８１０５公報
【考案の開示】
【考案が解決しようとする課題】
【０００３】
前述したベビーカーに装着するタイプのおくるみの場合、ベビーカーに一体に取り付けられるものであるため、ベビーカーの移動等に伴ってずれ落ちるおそれがないものの、おくるみの左右縁同士をファスナーで係合する構造であり、また下縁を絞り込む構造となっているため、乳幼児の身体が比較的大きい場合には、当該おくるみによって左右方向から押圧された状態で包まれると共に足元が絞り込まれることとなり、その結果、乳幼児に窮屈感を与える場合があった。
【０００４】
更に、上部の左右縁に取り付けられる紐は位置調整ができない構造となっていたため、種々の形状、サイズのベビーカーに対応できないという不都合もあった。
【０００５】
本考案の目的は、乳幼児に窮屈感を与えることがなく、また種々の形状、サイズのベビーカーに容易に装着することができるおくるみを提供することにある。
【課題を解決するための手段】
【０００６】
請求項１記載の本考案は、略方形の前側半部と後側半部とを備え、前側半部と後側半部の下縁部同士が縫着され、前側半部と後側半部の両側縁部同士が係止手段によって係脱自在となされ、後側半部の下部にはベビーカーの腰ベルトおよび股ベルトを通す下部通し孔が形成され、後側半部の上部にはベビーカーの肩ベルトを通す上部通し孔が形成され、後側半部の両側縁部における上部には取付紐を通すための複数の透孔が所定間隔をあけて形成されていることを特徴とするおくるみである。
【０００７】
前記係止手段としては、ファスナーやホック等が挙げられる。
【０００８】
請求項２記載の本考案は、前記請求項１記載のおくるみについて、上部通し孔が横長形状であり、下部通し孔が台形状であることを特徴とするものである。
【０００９】
請求項３記載の本考案は、前記請求項１または請求項２記載のおくるみについて、前側半部の上縁中央部に乳幼児の顔出し用凹形部が形成されていることを特徴とするものである。
【００１０】
請求項４記載の本考案は、前記請求項１〜請求項３のうちのいずれか一項記載のおくるみについて、前側半部の前面にポケットが設けられたことを特徴とするものである。
【考案の効果】
【００１１】
本考案のおくるみは、略方形の前側半部と後側半部とを備え、前側半部と後側半部の下縁部同士が縫着され、前側半部と後側半部の両側縁部同士がファスナー等の係止手段によって係脱自在となされた構造であるため、重ね合わされた前側半部と後側半部との間に乳幼児の身体が収容でき、また係止手段によって前側半部と後側半部の両側縁部同士を係止することで乳幼児の身体が完全に包まれた状態となる。したがって、一枚の被覆地の左右縁同士をファスナー等で係合させる従来のおくるみのように、乳幼児の身体が左右方向から押圧されるおそれがなく、また従来のおくるみのように、下縁を絞り込む構造でもないため、乳幼児に窮屈感を与えることがない。なお、前側半部と後側半部の両側縁部同士を結合するファスナー等の係止手段については、気温の変化に対応してその開閉状態を変更することにより、当該おくるみ内における乳幼児の身体の保温状態を調整することができる。
【００１２】
また、本考案のおくるみでは、後側半部の両側縁部における上部に取付紐を通すための複数の透孔が形成されているため、当該おくるみをベビーカーに装着する場合に、種々のベビーカーのサイドフレームに対応する位置の透孔に取付紐を通して結び付けることにより、当該おくるみの取り付けが簡単且つ確実に行える。
【００１３】
更に、上部通し孔を横長形状とし、下部通し孔を台形状とした本考案のおくるみによれば、ベビーカーの肩ベルトを上部通し孔に通し、ベビーカーの腰ベルトと股ベルトをまとめて下部通し孔に簡単に通すことができる。
【００１４】
この他、前側半部の上縁中央部に乳幼児の顔出し用凹形部が形成された本考案に係るおくるみによれば、乳幼児の顔だけが露出し、乳幼児の両肩は前側半部によって覆われた状態となるため、防寒性が更に向上する。
【００１５】
また、前側半部の前面にポケットが設けられた本考案に係るおくるみによれば、乳幼児用のタオル等の必需品を収容しておくことができる。
【考案を実施するための最良の形態】
【００１６】
次に、本考案の実施形態を図面にしたがって説明するが、本考案はかかる実施形態に限定されるものではない。
【００１７】
図１〜図４に示すように、おくるみ１は、略縦長方形の前側半部２と後側半部３とが重ね合わされた形態となっており、これらはいずれも二枚のキルト地を縫合して構成されている。そして、前側半部２と後側半部３は、下縁部４並びに両側縁部６における下部６ａにおいて縫着され、また両側縁部６における下部６ａ上端から上方へ所定長の位置までファスナー７によって結合自在となされている。
【００１８】
図１に示すように、前側半部２は、その前面中央部分にポケット８が縫着されており、また上縁中央部には、乳幼児の顔出し用凹形部９が形成されている。なお、図中１１は縁取り布を示す。
【００１９】
図２に示すように、後側半部３は、その長さ中央部分から上側にベビーカーの肩ベルトを通す横長方形または横長スリット状の上部通し孔１０があけられ、また後側半部３の長さ中央部分から下側にベビーカーの腰ベルトおよび股ベルトを通す逆三角形状の下部通し孔１２があけられている。更に、後側半部３の上部両側縁３ａには一定間隔をあけて複数の透孔１３が形成され、これら透孔１３のいずれかに取付紐１４が通されるようになされている。
【００２０】
次に、本実施形態に係るおくるみ１の使用要領について説明すると、図５に示すように、先ず後側半部３における下部通し孔１２の位置が腰ベルト１５および股ベルト１６の位置と対応するように、複数の透孔１３のうち、適切な透孔１３に取付紐１４を通してベビーカー２０のサイドフレーム２１に前記取付紐１４を結びつける。そして、下部通し孔１２に腰ベルト１５および股ベルト１６を通すと共に、２本の肩ベルト１７を上部通し孔１０に通すことにより、ベビーカー２０へのおくるみ１の取付けが完了する。
【００２１】
そして、図６に示すように、乳幼児Ｃをベビーカー２０に乗せて、該乳幼児Ｃに腰ベルト１５および股ベルト１６並びに肩ベルト１７を装着することで乳幼児Ｃの身体をベビーカー２０に固定する。次に、図７に示すように、おくるみ１の前側半部２を乳幼児Ｃの身体に被せてファスナー７同士を結合させることにより、乳幼児Ｃの身体がおくるみ１に包まれる。この場合、前述した通り、乳幼児Ｃの身体は、その前側におくるみ１の前側半部２が被せられる構造となっているため、乳幼児Ｃが圧迫されるようなことはなく、楽な姿勢でおくるみ１に包まれることとなる。
【産業上の利用可能性】
【００２２】
本考案のおくるみは、乳幼児に窮屈感を与えることなく、乳幼児の身体を包むことができ、また種々のベビーカーへの装着も簡単且つ確実に行えるため、幅広い利用が期待できる。
【図面の簡単な説明】
【００２３】
【図１】実施形態に係るおくるみの正面図である。
【図２】同実施形態に係るおくるみの背面図である。
【図３】同実施形態に係るおくるみの前側半部を折り返した状態の正面図である。
【図４】同実施形態に係るおくるみの縦断面図である。
【図５】おくるみをベビーカーに装着した状態の斜視図である。
【図６】図５のベビーカーに乳幼児を乗せた状態の斜視図である。
【図７】図６のベビーカーにおいて、乳幼児の身体をおくるみで完全に包んだ状態を示す斜視図である。
【符号の説明】
【００２４】
１  おくるみ
２  前側半部
３  後側半部
４  下縁部
６  両側縁部
７  ファスナー
８  ポケット
９  顔出し用凹形部
１０  上部通し孔
１２  下部通し孔
１３  透孔
１４  取付紐
１５  腰ベルト
１６  股ベルト
１７  肩ベルト
【図１】
0003140425.tif 000003
【図２】
0003140425.tif 000004
【図３】
0003140425.tif 000005
【図４】
0003140425.tif 000006
【図５】
0003140425.tif 000007
【図６】
0003140425.tif 000008
【図７】
0003140425.tif 000009